(57)【要約】【課題】薬剤を外部から明確に視認することができ、誤った投与の発生がなく、かつ、対環境性が良好で安価な複室バッグを提供する。【解決手段】薬剤収容室１の一端側に弱シール部２を介して希釈液室３が連設される一方、前記薬剤収容室１の他端側に弱シール部２を介して口部４を有する空室５が連設される複室バッグであって、薬剤収容室１、希釈液室３及び空室５は、透明なフィルム材からなり、かつ、薬剤収容室１の外側が、透明なガスバリヤフィルム６で覆われる。【選択図】  図２
0003118911.tif 000002
【実用新案登録請求の範囲】
【請求項１】
薬剤収容室の一端側に弱シール部を介して希釈液室が連設される一方、前記薬剤収容室の他端側に弱シール部を介して口部を有する空室が連設される複室バッグであって、
前記薬剤収容室、希釈液室及び空室は、透明なフィルム材からなり、かつ、前記薬剤収容室を、気体及び液体を実質的に透過させない透明なガスバリヤフィルムで被覆してなることを特徴とする複室バッグ。
【請求項２】
前記ガスバリヤフィルムは、ポリエチレンテレフタレート（ＰＥＴ）にシリカ又はアルミナを蒸着したものをポリエチレン（ＰＥ）等のオレフィン系樹脂に貼着して形成されることを特徴とする請求項１に記載の複室バッグ。
【考案の詳細な説明】
【技術分野】
【０００１】
本考案は、薬剤と希釈液とを分離した状態で収容し、使用時に混合するようにした複室バッグに係り、詳しくは、外部から薬剤と希釈液の混合状態を明確に視認できるようにした複室バッグに関する。
【背景技術】
【０００２】
薬剤収容室と希釈液室の間に弱シール部を設け、使用時に薬剤と希釈液とを混合させるようにした複室バッグで、吸湿性や易酸化性を有する薬剤等を乾燥剤や脱酸素剤を使用することなく薬剤収容室に収容できるようにしたものは提案されている（例えば、特許文献１参照）。この例では、図示は省略するが、薬剤収容室の両側は、例えば、アルミ加工フィルムを含む多層フィルムで覆われ前面側のアルミ加工フィルムを剥離可能として、口部のある希釈液室を薬剤収容室の下に配置して吊した状態で希釈した薬剤を投与するように構成されている。
【０００３】
【特許文献１】特開平１１−２７６５４７号公報
【考案の開示】
【考案が解決しようとする課題】
【０００４】
しかし、上述のように、薬剤収容室が、アルミ加工フィルムを含む多層フィルムで覆われていると、外部から薬剤を視認することができないという難点がある。また、薬剤を希釈した際にその混合状態を確認するために前面側のアルミ加工フィルムを剥がす作業も面倒である。そして、希釈液室に口部が設けられていると、薬剤が希釈液に混合されない状態で投与されてしまうようなトラブルの発生も懸念される。さらに、アルミ加工フィルムが含まれているため、高価になるだけでなく、そのまま投棄できないという対環境性の問題もあった。
【０００５】
本願考案は、このような実情に鑑みてなされ、薬剤を外部から明確に視認することができ、誤った投与の発生がなく、かつ、対環境性が良好で安価な複室バッグを提供することを目的とする。
【課題を解決するための手段】
【０００６】
（１）本考案の複室バッグは、薬剤収容室の一端側に弱シール部を介して希釈液室が連設される一方、前記薬剤収容室の他端側に弱シール部を介して口部を有する空室が連設される複室バッグであって、
前記薬剤収容室、希釈液室及び空室は、透明なフィルム材からなり、かつ、前記薬剤収容室を、気体及び液体を実質的に透過させない透明なガスバリヤフィルムで被覆してなることを特徴とする。
【０００７】
この構成においては、気体及び液体を実質的に透過させない透明なガスバリヤフィルムで薬剤収容室を被覆することで、乾燥剤や脱酸素剤を使用することなく、薬剤が酸素や水分の影響を受けないように保護することができ、そのガスバリヤフィルムが透明であることから、外部から薬剤収容室の内部を透視することができ、収容された薬剤の状態及び弱シール部を破断して希釈液室から薬剤収容室に希釈液を導入して薬剤に混合したときに不溶性異物の有無等を明確に確認することができる。このようなガスバリヤフィルムとしては、例えば、ポリエチレンテレフタレート（ＰＥＴ）にシリカ又はアルミナを蒸着したものをポリエチレン（ＰＥ）等のオレフィン系樹脂に貼着したものが好ましい。
【０００８】
また、製造工程においても異物の混入等を明確に検出することができる。さらに、このような透明なガスバリヤフィルムで薬剤収容室を覆うので、例えば、両面印刷したラベルを希釈液室の片面に貼り付ければ、薬剤収容室と希釈液室を弱シール部で２つ折りにした状態でも、そのラベルを外部から透視して判読できる利点もある。
【０００９】
そして、その薬剤収容室と弱シール部を介して口部を有する空室を連設しているため、必ず薬剤が希釈液で希釈された状態で空室を介して投与されるため、誤った投与の発生を防ぐことができる。また、ガスバリヤフィルムで覆われた薬剤収容室と弱シール部を介して口部を有する空室を連設しているため、口部及びその周辺においては、バリア性であることが要件とされず、その分材料費を低減することができる。さらに、従来のようなアルミ加工フィルムを用いていないため、安価に提供することができ、かつ、対環境性も向上し廃棄処分が容易となる利点もある。
【考案の効果】
【００１０】
本考案の複室バッグは、弱シール部を介して希釈液室が連設される薬剤収容室に弱シール部を介して口部を有する空室を連設すると共に、薬剤収容室の外側を、気体及び液体を実質的に透過させない透明なガスバリヤフィルムで薬剤収容室を被覆するので、バリア性の向上が図られ、乾燥剤や脱酸素剤を使用することなく、薬剤が酸素や水分の影響を受けないようにすることができる。
【００１１】
そして、外部から薬剤収容室の内部を透視することができ、収容された薬剤の状態及び薬剤に希釈液を混合したときに不溶性異物の有無等を明確に確認することができる。また、製造工程においても異物の混入等を外部から明確に検出することができる。さらに、例えば、両面印刷したラベルを希釈液室に貼り付ければ、薬剤収容室と希釈液室を弱シール部で２つ折りにした状態でも、そのラベルを外部から透視して判読できる利点もある。
【００１２】
また、必ず薬剤が希釈液で希釈された状態で空室を介して投与されるため、誤った投与の発生を防ぐことができる。また、口部及びその周辺においては、バリア性であることが要件とされず、その分材料費を低減することができる。さらに、従来のようなアルミ加工フィルムを用いていないため、安価に提供することができ、かつ、対環境性も向上し廃棄処分が容易となる利点もある。
【考案を実施するための最良の形態】
【００１３】
以下に、本考案の最良の実施の形態に係る複室バッグについて図面を参照しつつ詳細に説明する。
図１は複室バッグの正面図、図２は断面図、図３はフィルム材及びガスバリヤフィルムの断面図である。図１及び図２にて、符号１は、抗生剤等の各種薬剤を収納する薬剤収容室、２は弱シール部、３は希釈液室、４は口部、５は空室、６はガスバリアフィルム、７は吊り孔である。この複室バッグは、薬剤収容室１の一端側に弱シール部２を介して希釈液室３が連設される一方、前記薬剤収容室１の他端側に弱シール部２を介して口部４を有する空室５が連設され、薬剤収容室１、希釈液室３及び空室５は、透明なフィルム材からなり、かつ、薬剤収容室１の外側は、透明なガスバリヤフィルム６で覆われている。
【００１４】
薬剤収容室１、希釈液室３及び空室５を形成するフィルム材は、例えば、図３（ａ）に示すように、内面側のポリエチレン（ＰＥ）とポリプロピレン（ＰＰ）の混合樹脂層（厚さ２０μｍ）１１、ポリエチレン（ＰＥ）層（厚さ６０μｍ）１２、シクロオレフィンコポリマー（ＣＯＣ）層又はシクロオレフィンポリマー（ＣＯＰ）層（厚さ２０μｍ）１３、ポリエチレン（ＰＥ）層（厚さ５０μｍ）１２からなる多層構成で、２枚のフィルム材の周縁部同士が溶着され、かつ、その薬剤収容室１と希釈液室３の間、及び、薬剤収容室１と空室５の間には、それぞれ弱シールが施されて弱シール部２，２が形成されている。
【００１５】
一方、薬剤収容室１の外側を覆う透明なガスバリヤフィルム６は、例えば、図３（ｂ）に示すように、その内面側のポリエチレン（ＰＥ）（厚さ３０μｍ）のオレフィン系樹脂層６１に対して、接着剤層６３を介して、ポリエチレンテレフタレート（ＰＥＴ）（厚さ１５μｍ）６２にシリカ蒸着層６ａを蒸着したものを貼着して形成される。その層構成は、図３（ｃ）（ｄ）に示すように、多層であってもよい。即ち、図３（ｃ）に示す構成ではシリカ蒸着層６ａを３層に、図３（ｄ）に示す構成ではシリカ蒸着層６ａを６層に形成している。また、そのシリカ蒸着層６ａに代えて、アルミナ蒸着層６ｂを形成してもよく、例えば、図３（ｅ）では２層のアルミナ蒸着層６ｂを、図３（ｆ）では４層のアルミナ蒸着層６ｂを、図３（ｇ）では８層のアルミナ蒸着層６ｂを、それぞれ形成している。
【００１６】
このようなガスバリヤフィルム６は、酸素透過度１ｃｃ／ｍ2 ・ｄａｙ・ａｔｏｍ以下、水分透過度１ｇ／ｍ2 ・ｄａｙ（４０℃，９０％ＲＨ）以下であることが好ましい。このような透明のガスバリヤフィルム６で薬剤収容室１の外側を覆うことによって、乾燥剤や脱酸素剤を使用することなく、薬剤が酸素や水分の影響を受けないようにすることができる。なお、ガスバリヤフィルム６は薬剤収容室１の周縁部に対して溶着されればよい。
【００１７】
そのガスバリヤフィルム６が透明であることから、外部から薬剤収容室１の内部を透視することができ、収容された薬剤の状態及び弱シール部２を破断して希釈液室３から薬剤収容室１に希釈液を導入して薬剤に混合したときに不溶性異物の有無等を明確に確認することができる。また、製造工程においても異物の混入等を明確に検出することができる。さらに、このような透明なガスバリヤフィルム６で薬剤収容室１を覆うので、例えば、両面印刷したラベルを希釈液室３の片面に貼り付ければ、薬剤収容室１と希釈液室３を弱シール部２で２つ折りにした状態でも、また、投与時に吊した状態でも、そのラベルを外部から透視して判読できる利点もある。
【００１８】
その薬剤収容室１と弱シール部２を介して口部４を有する空室５を連設しているため、必ず薬剤が希釈液で希釈された状態で空室５を介して投与されるため、誤った投与の発生を防ぐことができる。また、ガスバリヤフィルム６で覆われた薬剤収容室１と弱シール部２を介して口部４を有する空室５を連設しているため、口部４及びその周辺においては、バリア性であることが要件とされず、その分材料費を低減することができる。さらに、従来のようなアルミ加工フィルムを用いていないため、安価に提供することができ、かつ、対環境性も向上し廃棄処分が容易となる利点もある。
【００１９】
なお、本考案は、実施の形態に限定されることなく、考案の要旨を逸脱しない限りにおいて、適宜、必要に応じて、設計変更や改良等を行うのは自由であり、また、各実施の形態間での流用・転用も自由である。
【図面の簡単な説明】
【００２０】
【図１】本考案の実施の形態に係る複室バッグの正面図である。
【図２】同断面図である。
【図３】（ａ）同フィルム材の層構成を示す断面図、（ｂ）単層のシリカ蒸着層、（ｃ）３層のシリカ蒸着層、（ｄ）６層のシリカ蒸着層、（ｅ）２層のアルミナ蒸着層、（ｆ）４層のアルミナ蒸着層、（ｇ）８層のアルミナ蒸着層、をそれぞれ有するガスバリヤフィルムの層構成を示す断面図である。
【符号の説明】
【００２１】
１…薬剤収容室、２…弱シール部、３…希釈液室、４…口部、５…空室、６…ガスバリヤフィルム、６１…オレフィン系樹脂、６２…ポリエチレンテレフタレート（ＰＥＴ）
【図１】
0003118911.tif 000003
【図２】
0003118911.tif 000004
【図３】
0003118911.tif 000005